(57)【要約】【課題】コンクリート側面に生じた余剰水を好適に排出でき、且つ、その余剰水を利用して温水蒸気養生が可能なコンクリート打設用型枠の提供。【解決手段】表面をコンクリート打設面とした複数の通水孔４，４...を有する通水板５と、通水板５の裏面側に間隔を置いて配置された止水板６と、通水板５と止水板６との間に通水孔４と連通した複数の貯水用空隙９，９...を有する余剰水貯留体７と、通水板５の表面を覆う透水性を有する透水シート８と、各貯水用空隙９，９...内の水を加熱する余剰水加熱手段とを備えている堰板体３，３からなるコンクリート打設用型枠１としている。【選択図】図１
2017210747.tif 000002
【特許請求の範囲】
【請求項１】
複数の通水孔を有する通水板と、該通水板の裏面側に間隔を置いて配置された止水板とを有する堰板体を備え、該堰板体の通水板側にコンクリートが打設されるようにしているコンクリート打設用型枠において、
前記堰板体には、前記通水板と前記止水板との間に介在され、前記通水孔と連通した複数の貯水用空隙を有する余剰水貯留体と、前記通水板の表面を覆う透水性を有する透水シートと、前記各貯水用空隙内の水を加熱する余剰水加熱手段とを備えていることを特徴とするコンクリート打設用型枠。
【請求項２】
前記余剰水加熱手段は、前記止水版の外側に配置された断熱材からなる断熱層で構成され、コンクリートの水和熱を利用して前記各貯水用空隙内の水を加熱する請求項１に記載のコンクリート打設用型枠。
【請求項３】
前記余剰水貯留体は、互いに仕切り板によって仕切られた多数の貯水用空隙が蜂の巣状又は升目状に配置されている請求項１又は２に記載のコンクリート打設用型枠。
【発明の詳細な説明】
【技術分野】
【０００１】
本発明は、コンクリートの成形に用いられるコンクリート打設用型枠に関する。
【背景技術】
【０００２】
コンクリートの耐久性向上には、型枠内にコンクリートを打設した直後の初期段階に発生する余剰水や気泡を排出し、コンクリート表面部の水セメント比を低減することが有効である。
【０００３】
そこで、従来では、型枠内に生じた余剰水を型枠外に排出する透水型枠が広く使用されている。
【０００４】
一方、コンクリート打設後一定期間が経過しある程度硬化した段階では、コンクリートが乾燥した状態にあると水和反応が促進されず、ひび割れの原因となることから、コンクリート表面を湿潤状態で養生することによりコンクリートの耐久性向上を図ることができる。
【０００５】
そこで、従来では、複数の通水孔を有する通水板と、該通水板の裏面側に間隔を置いて配置された止水板とを有する堰板体を備えている透水型のコンクリート打設用型枠を使用し、コンクリート打設直後の材令初期には通水板を通して堰板体内に余剰水を排水し、コンクリートがある程度硬化した後に堰板体に供給した水が通水板を通してコンクリート側面に給水できるようにしたものが開発されている(例えば、特許文献１を参照)。
【先行技術文献】
【特許文献】
【０００６】
【特許文献１】実用新案登録第３１７７２６６号公報
【発明の概要】
【発明が解決しようとする課題】
【０００７】
しかしながら、上述の如き従来の技術では、透水性型枠に流入した余剰水が排水又は堰板体の下部に流下するため、一定期間が経過した後に堰板体に給水しなければならず効率が悪いという問題があった。
【０００８】
また、従来の技術では、給水によってコンクリート表面の温度が低下すると、水和発熱によって上昇したコンクリートの内部温度との温度差によってコンクリート表面に温度ひび割れを生じるおそれがあり、寒冷地等では適用が困難であるという問題があった。
【０００９】
そこで、本発明は、このような従来の問題に鑑み、コンクリート側面に生じた余剰水を好適に排出でき、且つ、その余剰水を利用して温水蒸気養生が可能なコンクリート打設用型枠の提供を目的としてなされたものである。
【課題を解決するための手段】
【００１０】
上述の如き従来の問題を解決するための請求項1に記載の発明の特徴は、複数の通水孔を有する通水板と、該通水板の裏面側に間隔を置いて配置された止水板とを有する堰板体を備え、該堰板体の通水板側にコンクリートが打設されるようにしているコンクリート打設用型枠において、前記堰板体には、前記通水板と前記止水板との間に介在され、前記通水孔と連通した複数の貯水用空隙を有する余剰水貯留体と、前記通水板の表面を覆う透水性を有する透水シートと、前記各貯水用空隙内の水を加熱する余剰水加熱手段とを備えているコンクリート打設用型枠にある。
【００１１】
請求項２に記載の発明の特徴は、請求項１の構成に加え、前記余剰水加熱手段は、前記止水版の外側に配置された断熱材からなる断熱層で構成され、コンクリートの水和熱を利用して前記各貯水用空隙内の水を加熱することにある。
【００１２】
請求項３に記載の発明の特徴は、請求項１又は２の構成に加え、前記余剰水貯留体は、互いに仕切り板によって仕切られた多数の貯水用空隙が蜂の巣状又は升目状に配置されていることにある。
【発明の効果】
【００１３】
本発明に係るコンクリート打設用型枠は、上述したように、複数の通水孔を有する通水板と、該通水板の裏面側に間隔を置いて配置された止水板とを有する堰板体を備え、該堰板体の通水板側にコンクリートが打設されるようにしているコンクリート打設用型枠において、前記堰板体には、前記通水板と前記止水板との間に介在され、前記通水孔と連通した複数の貯水用空隙を有する余剰水貯留体と、前記通水板の表面を覆う透水性を有する透水シートと、前記各貯水用空隙内の水を加熱する余剰水加熱手段とを備えていることによって、コンクリート打設直後の型枠内に生じた余剰水を透水シート及び通水孔を通して好適に排水できるとともに、その余剰水を再利用してコンクリート表面部の保温及び湿潤状態を確保し、寒冷地等にも適用でき、且つ、より緻密で耐久性の高いコンクリートを形成することができる。
【００１４】
また、本発明において、前記余剰水加熱手段は、前記止水版の外側に配置された断熱材からなる断熱層で構成され、コンクリートの水和熱を利用して前記各貯水用空隙内の水を加熱することにより、水和熱を効率よく利用し、別個に加熱手段が不要であるので、費用の低減を図ることができる。
【００１５】
さらに、本発明において、前記余剰水貯留体は、互いに仕切り板によって仕切られた多数の貯水用空隙が蜂の巣状又は升目状に配置されていることにより、堰板体の強度及び剛性を強化でき、その分堰板体の薄型化を図ることができる。また、それぞれ独立した貯水用空隙を上下左右に渡って配置することができ、余剰水を堰板体の下部に流下させることなく貯留させおくことができる。
【図面の簡単な説明】
【００１６】
【図１】本発明に係るコンクリート打設用型枠の使用状態を示す縦断面図である。
【図２】図１中の型枠の部分拡大断面図である。
【図３】同上のＡ−Ａ線断面図である。
【図４】コンクリート打設直後の型枠の状態を示す断面図である。
【図５】同上の蒸気養生の状態を示す断面図である。
【発明を実施するための形態】
【００１７】
次に、本発明に係るコンクリート打設用型枠の実施態様を図１〜図５に示した実施例に基づいて説明する。尚、図中符号１はコンクリート打設用型枠、符号２はコンクリートである。
【００１８】
このコンクリート打設用型枠１は、コンクリート２を打設する位置を挟んで互いに対向して配置された堰板体３，３を備え、この堰板体３，３間に生コンクリート２を打設し、養生固化させるようになっている。
【００１９】
堰板体３，３は、複数の通水孔４，４...が形成された通水板５と、通水板５の裏面側に間隔を置いて配置された止水板６と、通水板５と止水板６との間に介在された余剰水貯留体７と、通水板５の表面を覆う透水性を有する透水シート８と、余剰水貯留体７の各貯水用空隙９，９...内の水を加熱する余剰水加熱手段とを備え、本実施例では、透水シート８、通水板５、余剰水貯留体７、止水板６及び余剰水加熱手段が５層構造を成している。
【００２０】
通水板５は、所定の位置に通水孔４，４...がそれぞれ貫通した平板をもって構成され、その表面が透水シート８によって被覆され、その裏面が余剰水貯留体７に固定されている。
【００２１】
透水シート８は、水分の透過を許容しつつ、セメント粒子等の透過を阻止する素材によって構成され、例えば、自然繊維、合成繊維からなる織布又は不織布によって構成され、一定の吸水性及び保潤性を有している。
【００２２】
止水板６は、不透水性材からなる平板により構成され、その一方の面（内面）が余剰水貯留体７に固定されて各貯水用空隙９，９...の背面側開口を閉鎖している。
【００２３】
余剰水貯留体７は、図２、図３に示すように、ハニカム構造体によって構成され、仕切り板７ａ，７ａ...によって隔てられた前後に開口した各貯水用空隙９，９...が堰板体３，３全体の上下左右に渡って蜂の巣状に配置され、その前後面が通水板５と止水板６で閉鎖されている。
【００２４】
各貯水用空隙９，９...は、周囲が各仕切り板７ａ，７ａ...に囲まれて内外方向に貫通した六角筒状に形成され、その内側端面が通水板５に閉鎖され、外側端面が止水板６に閉鎖されている。
【００２５】
また、通水孔４，４...と各貯水用空隙９，９...との位置は、図２、図３に示すように、通水孔４，４...が貯水用空隙９，９...の内底に対して高い位置にあって、通水孔４，４...を通して流入した水が貯水用空隙９，９...内に貯留されるようになっている。
【００２６】
尚、特に図示しないが、止水板６には、各貯水用空隙９，９...と連通した排水路を設け、各貯水用空隙９，９...内に貯留された水が排水路を通して型枠外に排水できるようにしてもよい。また、排水路は、貯水用空隙９，９...の内底より高い位置に設け、各貯水用空隙９，９...内に貯留された水が一定量を超えると排水路を通してオーバーフローして型枠外に排水されるようにしてもよい。
【００２７】
余剰水加熱手段は、止水板６の外側に配置された断熱材からなる断熱層１０で構成され、この断熱層１０を止水板６の外側に積層配置に備えたことで、コンクリート２の水和熱が外部に放出されず、堰板体３，３内部に蓄積され、その熱で各貯水用空隙９，９...内に貯留された水を加熱できるようになっている。
【００２８】
次に、このように構成されたコンクリート打設用型枠１を用いたコンクリート構造体の構築方法について説明する。
【００２９】
先ず、コンクリート構造体を構築する予定の位置に堰板体３，３をコンクリート２の厚み分だけ間隔を置いて対向するように配置し、コンクリート打設用型枠１を設置し、必要に応じて鉄筋等を配設する。
【００３０】
その際、各堰板体３，３は、通水板５と止水板６との間にハニカム構造を有する余剰水貯留体７を介在させたことにより、コンクリート２の圧力（側圧）に対し高い強度を確保することができ、変形を防止できるようになっている。尚、堰板体３，３間には、必要に応じてセパレータ等を設置する。
【００３１】
次に、図１に示すように、このコンクリート打設用型枠１の両堰板体３，３間にコンクリート２を打設する。
【００３２】
その直後の材令初期では、図４に示すように、ブリーディング水等の余剰水ｗが発生すると、その余剰水ｗが透水シート８に吸水されるとともに通水孔４，４...を通して各貯水用空隙９，９...内に流入し、型枠内から余剰水ｗが排水される。
【００３３】
そして、その余剰水ｗは、通水孔４，４...の位置が各貯水用空隙９，９...の内底より高い位置にあるので、各貯水用空隙９，９...内に貯留される。
【００３４】
また、各貯水用空隙９，９...は、互いに独立した状態で堰板体３，３全体の上下左右に渡って配置されているので、排水された余剰水ｗは、堰板体３，３の下部に流下することなく、各貯水用空隙９，９...内に貯留される。
【００３５】
よって、コンクリート構造体の側面、即ち、型枠と対向する面では、余剰水ｗが排水されるとともに、気泡が透水シート８に吸着され、平坦に仕上げられ、緻密なコンクリート２面が形成される。
【００３６】
次に、一定期間が経過し、コンクリート２の水和反応が進行すると、コンクリート内部で水和熱が生じ、この水和熱は、余剰水ｗ加熱手段を構成する断熱材からなる断熱層１０によって遮断され、各堰板体３，３内に蓄積され、その熱によって各貯水用空隙９，９...内の水が加熱される。
【００３７】
即ち、このコンクリート打設用型枠１では、水和熱が外部に放出されずに蓄積され、貯水用空隙９，９...内の水の加熱に利用されるので、堰板体３，３のコンクリート２打設面の温度が高温に保たれ、寒冷地等においてもコンクリート２表面（側面）の温度低下を抑制でき、コンクリート２の内外温度差を少なくでき、その表面の温度ひび割れを防止することができる。
【００３８】
また、貯水用空隙９，９...内の水は、図５に示すように、水和熱を利用した加熱手段の加熱によって蒸発し、その蒸気ｓが通水孔４，４...を通して透水シート８に吸水され、その蒸気ｓの水分が透水シート８を通してコンクリート２側面に供給される。
【００３９】
その際、余剰水ｗは、堰板体３，３の下部に流下せずに、上下左右に渡って全体に配置された互いに独立した各貯水用空隙９，９...内に貯留されているので、型枠外から給水がなくとも、コンクリート２表面に均一に蒸気ｓによる水分が供給されるようになっている。
【００４０】
よって、このコンクリート打設用型枠１では、排水された余剰水を再利用し、コンクリート２が蒸気ｓによって保温、湿潤された状態で養生されるので、コンクリート２表面の水和反応が促進され、コンクリート２体が緻密に形成される。
【００４１】
さらに、このコンクリート打設用型枠１では、型枠の外側からバイブレータや木槌で振動を付与することによって、各貯水用空隙９，９...に貯留されている余剰水ｗが通水孔４，４...を通して透水シート８に供給されるようになっている。
【００４２】
尚、上述の実施例では、余剰水加熱手段を断熱材からなる断熱層１０で構成した例を説明したが、余剰水加熱手段の態様は、これに限定されず、例えば、余剰水貯留体７の外側に電熱線等の発熱体を設置してもよく、止水板６の外側面を黒く塗装して太陽光により加熱するようにしてもよい。
【００４３】
また、上述の実施例では、余剰水貯留体７にハニカム構造体を用いた例について説明したが、余剰水貯留体７の態様は、上述した実施例に限定されず、例えば、仕切り板７ａ，７ａ...により仕切られた貯水用空隙９，９...が升目状に配置されたものであってもよく、また、一定の厚みを有する部材の所定の位置に厚み方向に貫通した孔を設け、その孔を貯水用空隙としたもの等であってもよい。
【符号の説明】
【００４４】
ｗ  余剰水
ｓ  蒸気
１  コンクリート打設用型枠
２  コンクリート
３  堰板体
４  通水孔
５  通水板
６  止水板
７  余剰水貯留体
８  透水シート
９  貯水用空隙
１０  断熱層
【図１】
2017210747.tif 000003
【図２】
2017210747.tif 000004
【図３】
2017210747.tif 000005
【図４】
2017210747.tif 000006
【図５】
2017210747.tif 000007